【手続補正書】
【提出日】平成17年8月18日(2005.8.18)
【手続補正１】
【補正対象書類名】明細書
【補正対象項目名】発明の名称
【補正方法】変更
【補正の内容】
【発明の名称】通信装置
【手続補正２】
【補正対象書類名】明細書
【補正対象項目名】特許請求の範囲
【補正方法】変更
【補正の内容】
【特許請求の範囲】
【請求項１】  公衆回線を介して他の通信装置と文書の送受信を行う通信装置であって、
ユーザによって操作が行われる操作手段と、
前記送受信に関する情報を前記ユーザに対して表示する表示手段と、
前記文書の画情報を読み取る画情報読取手段と、
前記画情報を出力する画情報出力手段と、
前記画情報の符号化復号化を行う画情報符号化復号化手段と、
前記画情報を蓄積する画情報蓄積手段と、
前記公衆回線の通信を制御する網制御手段と、
インターネットを介して文書の送受信を行うインターネット通信手段と、
実現可能な機能が異なる複数の宛先に対して、宛先毎に異なる機能を指定して同報送信を行う送信制御手段と、
を有することを特徴とする通信装置。
【請求項２】  前記機能を指定する際に、指定済み宛先のうち少なくとも１つの宛先を選択し、前記宛先に対して、有効とする前記機能を指定することを特徴とする請求項１に記載の通信装置。
【請求項３】  前記宛先を指定する際に、指定済み機能のうち少なくとも１つの機能を選択し、前記宛先に対して、有効とする前記機能を指定することを特徴とする請求項１または２に記載の通信装置。
【請求項４】  前記表示手段は、前記宛先毎に指定されている機能を表示することを特徴とする請求項１から３のいずれか１項に記載の通信装置。
【請求項５】  一旦指定した宛先の再編集操作時に、該再編集の対象となっている宛先に対して指定されている機能が前記表示手段に表示され、指定されている該機能を解除することを特徴とする請求項１から４のいずれか１項に記載の通信装置。
【請求項６】  一旦指定した宛先の再編集操作時に、該再編集の対象となっている宛先に対して指定されている機能が前記表示手段に表示され、指定機能を追加することを特徴とする請求項１から４のいずれか１項に記載の通信装置。
【請求項７】  送信待機している文書の内容を確認するための送信待機文書リストおよび同報送信が終了した際に出力される送信結果レポートに、前記宛先毎に、指定機能の内容を記載することを特徴とする請求項１から６のいずれか１項に記載の通信装置。
【請求項８】  前記インターネット通信手段は、リアルタイム型であることを特徴とする請求項１記載の通信装置。
【請求項９】  前記インターネット通信手段は、電子メール通信を行うことを特徴とする請求項１記載の通信装置。
【手続補正３】
【補正対象書類名】明細書
【補正対象項目名】０００１
【補正方法】変更
【補正の内容】
【０００１】
【発明の属する技術分野】
本発明は、文書送信時の機能選択を行う通信装置に関する。
【手続補正４】
【補正対象書類名】明細書
【補正対象項目名】０００７
【補正方法】変更
【補正の内容】
【０００７】
本発明は、上記事情に鑑みてなされたものであり、実現可能な機能が異なる宛先種別であっても、宛先毎に異なる機能を指定して同報送信を行うことができる通信装置を提供することを目的とする。
【手続補正５】
【補正対象書類名】明細書
【補正対象項目名】０００８
【補正方法】変更
【補正の内容】
【０００８】
【課題を解決するための手段】
かかる目的を達成するために、請求項１記載の発明は、公衆回線を介して他のファクシミリ装置と文書の送受信を行う通信装置であって、ユーザによって操作が行われる操作手段と、送受信に関する情報をユーザに対して表示する表示手段と、文書の画情報を読み取る画情報読取手段と、画情報を出力する画情報出力手段と、画情報の符号化復号化を行う画情報符号化復号化手段と、画情報を蓄積する画情報蓄積手段と、公衆回線の通信を制御する網制御手段と、インターネットを介して文書の送受信を行うインターネット通信手段と、実現可能な機能が異なる複数の宛先に対して、宛先毎に異なる機能を指定して同報送信を行う送信制御手段とを有することを特徴とする。
【手続補正６】
【補正対象書類名】明細書
【補正対象項目名】０００９
【補正方法】変更
【補正の内容】
【０００９】
請求項２記載の発明は、請求項１記載の発明において、機能を指定する際に、指定済み宛先のうち少なくとも１つの宛先を選択し、宛先に対して、有効とする機能を指定することを特徴とする。
【手続補正７】
【補正対象書類名】明細書
【補正対象項目名】００１０
【補正方法】変更
【補正の内容】
【００１０】
請求項３記載の発明は、請求項１または２記載の発明において、宛先を指定する際に、指定済み機能のうち少なくとも１つの機能を選択し、宛先に対して、有効とする機能を指定することを特徴とする。
【手続補正８】
【補正対象書類名】明細書
【補正対象項目名】００１１
【補正方法】変更
【補正の内容】
【００１１】
請求項４記載の発明は、請求項１から３のいずれか１項に記載の発明において、表示手段は、宛先毎に指定されている機能を表示することを特徴とする。
【手続補正９】
【補正対象書類名】明細書
【補正対象項目名】００１２
【補正方法】変更
【補正の内容】
【００１２】
請求項５記載の発明は、請求項１から４のいずれか１項に記載の発明において、一旦指定した宛先の再編集操作時に、再編集の対象となっている宛先に対して指定されている機能が表示手段に表示され、指定されている該機能を解除することを特徴とする。
【手続補正１０】
【補正対象書類名】明細書
【補正対象項目名】００１３
【補正方法】変更
【補正の内容】
【００１３】
請求項６記載の発明は、請求項１から４のいずれか１項に記載の発明において、一旦指定した宛先の再編集操作時に、再編集の対象となっている宛先に対して指定されている機能が表示手段に表示され、指定機能を追加することを特徴とする。
【手続補正１１】
【補正対象書類名】明細書
【補正対象項目名】００１４
【補正方法】変更
【補正の内容】
【００１４】
請求項７記載の発明は、請求項１から６のいずれか１項に記載の発明において、送信待機している文書の内容を確認するための送信待機文書リストおよび同報送信が終了した際に出力される送信結果レポートに、前記宛先毎に、指定機能の内容を記載することを特徴とする。
【手続補正１２】
【補正対象書類名】明細書
【補正対象項目名】００１５
【補正方法】変更
【補正の内容】
【００１５】
請求項８記載の発明は、請求項１記載の発明において、インターネット通信手段は、リアルタイム型であることを特徴とする。
【手続補正１３】
【補正対象書類名】明細書
【補正対象項目名】００１６
【補正方法】変更
【補正の内容】
【００１６】
請求項９記載の発明は、請求項１記載の発明において、インターネット通信手段は、電子メール通信を行うことを特徴とする。
【手続補正１４】
【補正対象書類名】明細書
【補正対象項目名】００１８
【補正方法】変更
【補正の内容】
【００１８】
本発明の通信装置の一実施形態であるファクシミリ装置を図１に示す。図１に示すように、ファクシミリ装置は、ＣＰＵ１、ＲＯＭ２、ＲＡＭ３、操作表示部４、画情報読取部５、画情報出力部６、符号化復号化部７、画情報蓄積部８、モデム９、ＰＳＴＮ制御部１０、ＬＡＮ制御部１１、データバス１２によって構成されている。